(57)【要約】【課題】  複数色のカラーフィルタ層を備えたカラーフィルタにおいて、各色のカラーフィルタ層間の段差を小さくするとともに、製造コストを低減する。【解決手段】  Ｒ，Ｇ，Ｂのカラーフィルタ層４１，４２，４５を、それぞれ、Ｙのカラー層４１ＹとＭのカラー層４１Ｍ、Ｙのカラー層４２ＹとＣのカラー層４２Ｃ、Ｃのカラー層４５ＣとＭのカラー層４５Ｍの積層構造によって形成する。また、Ｙのカラーフィルタ層４３およびＣのカラーフィルタ層４４を、それぞれ、Ｙのカラー層４３Ｙ、Ｃのカラー層４４Ｃの単層構造によって形成する。また、各カラーフィルタ層４１〜４５の膜厚を略等しくする。【選択図】  図１
2006162706.tif 000002
【特許請求の範囲】
【請求項１】
互いに異なる複数色のカラーフィルタ層を備えた画素領域を有するカラーフィルタであって、
上記カラーフィルタ層のうち少なくとも１つは、複数色のカラー層が積層されてなり、
上記積層されるカラー層のうち少なくとも１つは、他のカラーフィルタ層を形成するためのカラー層と同色かつ膜厚が異なることを特徴とするカラーフィルタ。
【請求項２】
上記画素領域に備えられる各カラーフィルタ層は、当該各カラーフィルタ層の色数よりも少ない色数のカラー層の組み合わせからなることを特徴とする請求項１に記載のカラーフィルタ。
【請求項３】
上記画素領域は、４色以上のカラーフィルタ層を備えていることを特徴とする請求項２に記載のカラーフィルタ。
【請求項４】
上記画素領域に備えられる全てのカラーフィルタ層が、Ｙ，Ｍ，Ｃのうち２色以上のカラー層の積層、または、Ｙ，Ｍ，Ｃのうちいずれか１色のカラー層の単層から形成されていることを特徴とする請求項３に記載のカラーフィルタ。
【請求項５】
上記画素領域は、Ｒのカラーフィルタ層と、Ｇのカラーフィルタ層と、Ｂのカラーフィルタ層とを備え、
上記Ｒのカラーフィルタ層は、Ｙのカラー層とＭのカラー層とが積層されてなり、
上記Ｇのカラーフィルタ層は、Ｙのカラー層とＣのカラー層とが積層されてなり、
上記Ｂのカラーフィルタ層は、Ｃのカラー層とＭのカラー層とが積層されてなることを特徴とする請求項４に記載のカラーフィルタ。
【請求項６】
上記画素領域は、Ｙ，Ｍ，Ｃのいずれかのカラー層の単層からなるカラーフィルタ層を備え、
上記単層からなるカラーフィルタ層を構成するカラー層の膜厚は、当該カラー層と同色であって、かつ、上記Ｒ，Ｇ，Ｂのいずれかのカラーフィルタ層に含まれるカラー層の膜厚よりも厚いことを特徴とする請求項５に記載のカラーフィルタ。
【請求項７】
上記画素領域は、Ｙのカラー層の単層からなるＹのカラーフィルタ層と、Ｃのカラー層の単層からなるＣのカラーフィルタ層とを備えていることを特徴とする請求項５または６に記載のカラーフィルタ。
【請求項８】
上記画素領域は、Ｍのカラー層の単層からなるＭのカラーフィルタ層をさらに備えていることを特徴とする請求項７に記載のカラーフィルタ。
【請求項９】
上記各カラー層は、インクジェット法で吐出されたカラー材料からなることを特徴とする請求項１に記載のカラーフィルタ。
【請求項１０】
互いに異なる色のカラーフィルタ層を備えた複数のサブピクセル領域からなる画素領域を有するカラーフィルタであって、
上記カラーフィルタ層のうち少なくとも１つは、複数色のカラー材料が混合されてなり、
上記混合されるカラー材料のうち少なくとも１つは、他のサブピクセル領域に備えられるカラーフィルタ層を形成するためのカラー材料と同色かつ量が異なることを特徴とするカラーフィルタ。
【請求項１１】
上記画素領域に備えられる各カラーフィルタ層は、当該各カラーフィルタ層の色数よりも少ない色数のカラー材料の組み合わせからなることを特徴とする請求項１０に記載のカラーフィルタ。
【請求項１２】
上記画素領域は、４色以上のカラーフィルタ層を備えていることを特徴とする請求項１１に記載のカラーフィルタ。
【請求項１３】
上記画素領域に備えられる全てのカラーフィルタ層が、Ｙ，Ｍ，Ｃのうち２色以上のカラー材料が混合されてなるか、あるいは、Ｙ，Ｍ，Ｃのうちいずれか１色のカラー材料からなることを特徴とする請求項１２に記載のカラーフィルタ。
【請求項１４】
上記画素領域は、Ｒのカラーフィルタ層と、Ｇのカラーフィルタ層と、Ｂのカラーフィルタ層とを備え、
上記Ｒのカラーフィルタ層は、Ｙのカラー材料とＭのカラー材料とが混合されてなり、
上記Ｇのカラーフィルタ層は、Ｙのカラー材料とＣのカラー材料とが混合されてなり、
上記Ｂのカラーフィルタ層は、Ｃのカラー材料とＭのカラー材料とが混合されてなることを特徴とする請求項１３に記載のカラーフィルタ。
【請求項１５】
上記画素領域は、Ｙのカラー材料からなるＹのカラーフィルタ層と、Ｃのカラー材料からなるＣのカラーフィルタ層とを備えていることを特徴とする請求項１４に記載のカラーフィルタ。
【請求項１６】
上記画素領域は、Ｍのカラー材料からなるＭのカラーフィルタ層をさらに備えていることを特徴とする請求項１５に記載のカラーフィルタ。
【請求項１７】
上記各カラー材料は、上記サブピクセル領域にインクジェット法で吐出されたものであることを特徴とする請求項１０に記載のカラーフィルタ。
【請求項１８】
互いに異なる色のカラーフィルタ層を備えた複数のサブピクセル領域からなる画素領域を有するカラーフィルタであって、
上記各カラーフィルタ層は、上記各サブピクセル領域にインクジェット法で吐出されたカラー材料からなり、
上記カラーフィルタ層のうち少なくとも１つは、当該カラーフィルタ層が形成されるサブピクセル領域に吐出された複数色のカラー材料が当該サブピクセル内で混合されるか、あるいは、当該カラーフィルタ層が形成されるサブピクセル領域に吐出された複数色のカラー材料からそれぞれ形成される複数色のカラー層が積層されてなることを特徴とするカラーフィルタ。
【請求項１９】
上記各カラーフィルタ層の平均膜厚の最大値と最小値との差が、０．２μｍ未満であることを特徴とする請求項１〜１８のいずれか１項に記載のカラーフィルタ。
【請求項２０】
請求項１〜１９のいずれか１項に記載のカラーフィルタを備えた表示パネル。
【請求項２１】
請求項１〜１９のいずれか１項に記載のカラーフィルタを備えた表示装置。
【請求項２２】
請求項１〜１９のいずれか１項に記載のカラーフィルタを備えた光シャッター型の表示装置。
【請求項２３】
互いに異なる色のカラーフィルタ層を備えた複数のサブピクセル領域からなる画素領域を有するカラーフィルタの製造方法であって、
上記各サブピクセル領域に、インクジェット法によって上記各カラーフィルタ層を形成するための複数色のカラー材料を吐出する吐出工程を含み、
上記吐出工程において、上記複数のサブピクセル領域のうち少なくとも１つに、互いに異なる２色以上のカラー材料を吐出することを特徴とするカラーフィルタの製造方法。
【請求項２４】
上記吐出工程において上記複数色のカラー材料を色ごとに順次吐出するカラーフィルタの製造方法であって、
上記色ごとに吐出したカラー材料を焼成してカラー層を形成した後に、次の色のカラー材料を、当該カラー材料を吐出すべき各サブピクセル領域に吐出することを特徴とする請求項２３に記載のカラーフィルタの製造方法。
【請求項２５】
上記少なくとも１つのサブピクセル領域に吐出された２色以上のカラー材料を、当該サブピクセル領域において混合させることを特徴とする請求項２３に記載のカラーフィルタの製造方法。
【請求項２６】
上記少なくとも１つのサブピクセル領域に形成するカラーフィルタ層の色に応じて、当該サブピクセル領域に吐出する上記２色以上のカラー材料それぞれの量を設定することを特徴とする請求項２３〜２５のいずれか１項に記載のカラーフィルタの製造方法。
【請求項２７】
上記各サブピクセル領域に備えられる各カラーフィルタ層の膜厚が略等しくなるように、上記各色のカラー材料の各サブピクセル領域に対する吐出量を設定することを特徴とする請求項２３〜２６のいずれか１項に記載のカラーフィルタの製造方法。
【発明の詳細な説明】
【技術分野】
【０００１】
本発明は、例えば液晶表示装置などの表示装置に用いられるカラーフィルタ、それを備えた表示パネルおよび表示装置、ならびに上記カラーフィルタの製造方法に関する。
【背景技術】
【０００２】
現在、多くの電子ディスプレイ（例えば液晶ディスプレイ）では、Ｒ（赤），Ｇ（緑），Ｂ（青）の３原色からなるサブピクセルを用いてカラー表示を実現している。図８は、上記のようなカラー表示方式を用いた、一般的な電子ディスプレイ（液晶ディスプレイ）の画素構造を示している。この図に示すように、Ｒ，Ｇ，Ｂの３原色からなるサブピクセルを用いてカラー表示を行う方式のディスプレイでは、各画素が、Ｒ，Ｇ，Ｂの各色をそれぞれ表示する３つのサブピクセルによって構成されている。
【０００３】
このようなカラー表示方式は、ディスプレイに要求されるほとんどの色再現域を表示することができるため、多くのディスプレイに採用されてきた。
【０００４】
ところで、近年、サブピクセル数を増やし４〜６色の色を各サブピクセルに適用することで、ディスプレイの色再現範囲を拡大する技術が提案されている。例えば、特許文献１には、Ｒ，Ｇ，ＢにＹを加えた４色のサブピクセル構成を採用することで、色再現範囲を拡大する技術が開示されている。
【０００５】
また、特許文献には、Ｒ，Ｇ，ＢにＹ，Ｃを加えた５色のサブピクセル構成、あるいは、Ｒ，Ｇ，ＢにＹ，Ｃ，Ｍを加えた６色のサブピクセル構成などが開示されている。
【０００６】
このように、サブピクセルの色数を増やすことにより、ディスプレイの色再現範囲を拡大することが可能である。しかしながら、色数（サブピクセル数）を増加させると、製造コストが増加してしまうという問題がある。
【０００７】
図９（ａ）〜図９（ｆ）は、フォトリソグラフィー工程を用いた、一般的なＲ，Ｇ，Ｂ３原色のカラーフィルタの製造方法（製造工程）を説明するための説明図である。
【０００８】
まず、図９（ａ）に示すように、基板１００上に、フォトリソグラフィー工程によってブラックマトリクス１０１が形成される。
【０００９】
次に、図９（ｂ）に示すように、基板１００上に、ブラックマトリクス１０１を覆うように、Ｒのフィルター層１０２が形成される。その後、図９（ｃ）に示すように、Ｒのサブピクセルに対応する領域と、それに隣接するブラックマトリクス１０１上の一部とを除いて、フォトリソグラフィー工程によってＲのフィルター層１０２が除去される。
【００１０】
次に、図９（ｄ）に示すように、基板１００上に、ブラックマトリクス１０１およびＲのフィルター層１０２を覆うように、Ｇのフィルター層１０３が形成される。その後、図９（ｅ）に示すように、Ｇのサブピクセルに対応する領域と、それに隣接するブラックマトリクス１０１上の一部とを除いて、フォトリソグラフィー工程によってＧのフィルター層１０３が除去される。
【００１１】
次に、図９（ｆ）に示すように、基板１００上に、ブラックマトリクス１０１、Ｒのフィルター層１０２、Ｇのフィルター層１０３を覆うように、Ｂのフィルター層１０４が形成される。その後、図９（ｆ）に示すように、Ｂのサブピクセルに対応する領域と、それに隣接するブラックマトリクス１０１上の一部とを除いて、フォトリソグラフィー工程によってＢのフィルター層１０４が除去される。これにより、Ｒ，Ｇ，Ｂの３原色からなるカラーフィルタが形成される。
【００１２】
このように、従来のフォトリソグラフィー工程を用いたカラーフィルタの製造方法では、Ｒ，Ｇ，Ｂの３原色を有するカラーフィルタを形成する場合、Ｒ，Ｇ，Ｂの各色について１回ずつのフォトリソグラフィー工程、および、ブラックマトリクスを形成するためのフォトリソグラフィー工程が必要である。したがって、例えば、６原色を有するカラーフィルタを形成する場合には、ブラックマトリクスの形成工程を含めて、合計７回のフォトリソグラフィー工程が必要である。
【００１３】
一方、カラーフィルタの製造の方法として、インクジェット法も提案されている。インクジェット法では、フォトリソグラフィー工程を必要としないため、製造コストを抑えることができるといわれている。
【００１４】
図１０（ａ）〜図１０（ｄ）に、一般的なインクジェット法によるＲ，Ｇ，Ｂ３原色のカラーフィルタの製造方法（製造工程）を説明するための説明図を示す。
【００１５】
まず、図１０（ａ）に示すように、基板２００上に、ブラックマトリクス２０１が形成される。
【００１６】
次に、図１０（ｂ）に示すように、Ｒのサブピクセルに対応する領域に、Ｒのインク２０２が吐出（インクジェット）され、焼成される。さらに、図１０（ｃ）に示すように、Ｇのサブピクセルに対応する領域に、Ｇのインク２０３が吐出され、焼成される。その後、図１０（ｄ）に示すように、Ｂのサブピクセルに対応する領域に、Ｂのインク２０４が吐出され、焼成される。これにより、Ｒ，Ｇ，Ｂの３原色からなるカラーフィルタが形成される。
【００１７】
このように、インクジェット法でも、色数（サブピクセル数）の分、形成工程（吐出工程および焼成工程）を繰り返す方法が一般的である。３色のインクを同時に吐出するプロセスも提案されてはいるが、技術的課題により、現状では３回に分ける方法が一般的である。
【００１８】
したがって、色数が増加すると、その分、製造コストが増加してしまう。例えば、色数を３色から６色に増やす場合には、３色のカラーフィルタを製造する場合の２倍近くの製造コストが必要になる。また、インクジェット装置としても、６色分のヘッド、供給系、インクタンク等が必要となるので、プロセスコストだけでなく、装置価格（設備コスト）も増加する。
【００１９】
これらの問題を解決する方法として、例えば特許文献３および４には、Ｃ（シアン）、Ｍ（マゼンタ）、Ｙ（イエロー）のカラーフィルタ層を有し、一部でいずれか２つのカラーフィルタ層が重なる部分を作ることで、Ｃ，Ｍ，Ｙに加えてＲ，Ｇ，Ｂの３原色を形成する技術が開示されている。つまり、Ｃ，Ｍ，ＹからＲ，Ｇ，Ｂの原色を形成することにより、Ｃ，Ｍ，Ｙの３色分のカラーフィルタ層形成工程で、６色のカラーフィルタ層を形成する方法が開示されている。
【特許文献１】特開２００１−２０９０４７（公開日：２００１年８月３日）
【特許文献２】ＷＯ０３／０８８２０３（公開日：２００３年１０月２３日）
【特許文献３】特開平１０−３０７２０５（公開日：１９９８年１１月１７日）
【特許文献４】特開平１１−３３７７２５（公開日：１９９９年１２月１０日）
【発明の開示】
【発明が解決しようとする課題】
【００２０】
しかしながら、上記特許文献３および４に記載の技術では、当該各特許文献においても指摘されているように、１層部と２層部（カラーフィルタ層が重なる部分）との間に、大きな段差が発生する。液晶ディスプレイの場合、カラーフィルタの段差は、液晶セル厚の段差となるため、このような段差があることは好ましくない。
【００２１】
上記特許文献３および４では、カラー層の厚さが０．２μｍ〜０．７μｍでは問題ないとしているが、実際には、特に透過型のディスプレイの場合には、カラー層の厚さが上記の範囲内であっても表示上の問題になる。
【００２２】
また、テレビ向けの液晶ディスプレイでは、一般に、１μｍ〜３μｍ程度のカラーフィルタ層が採用されており、この場合、Ｃ，Ｍ，Ｙのカラーフィルタ層（１層部）とＲ，Ｇ，Ｂのカラーフィルタ層（２層部）との間の段差はさらに大きくなる。
【００２３】
このような段差を解消するために、カラーフィルタ層の上部に厚いオーバーコート膜を形成する方法もあるが、大きな段差を解消するためには、より厚いオーバーコート膜が必要となり、そのことがさらなる製造コストの増加を招いてしまう。
【００２４】
また、上記特許文献３および４に記載の技術では、各色のパターンをフォトリソグラフィー技術によって形成している。この場合、Ｃ，Ｍ、Ｙの膜厚を、それぞれのサブピクセルごとに制御することは困難であるため、各色のバランスをとることが難しいという問題がある。すなわち、カラーフィルタの製造方法として一般的なフォトリソグラフィー法を用いる場合、１色（例えばＲ（Ｒｅｄ））のカラーレジストを所望の膜厚にスピナーにて各サブプクセルについて一括塗布した後、１２０℃前後でプリベークされる。そして、ネガ型のカラーレジストの場合には、露光機にてＲの色を残す場所のみに光が照射されるようなフォトマスクを通して露光される。さらに、露光後に現像処理を行うことにより、Ｒの領域のみにＲのカラーレジストが残る。Ｒ，Ｇ，Ｂ３色のカラーフィルタの場合には、これらの工程を繰り返すことになる。このように、フォトリソグラフィー方式では、スピナーを用いて各サブピクセルについて各色のカラーレジストを一括形成するため、サブピクセルごとに膜厚を制御することは困難である。したがって、各色のバランスをとることが難しい。
【００２５】
本発明は、上記従来の問題点に鑑みなされたものであり、その目的は、複数色のカラーフィルタ層を備えたカラーフィルタであって、各色のカラーフィルタ層間の段差が小さく、製造コストが安価なカラーフィルタ、それを備えた表示装置、ならびに上記カラーフィルタの製造方法を提供することにある。
【課題を解決するための手段】
【００２６】
本発明のカラーフィルタは、上記の課題を解決するために、互いに異なる複数色のカラーフィルタ層を備えた画素領域を有するカラーフィルタであって、上記カラーフィルタ層のうち少なくとも１つは、複数色のカラー層が積層されてなり、上記積層されるカラー層のうち少なくとも１つは、他のカラーフィルタ層を形成するためのカラー層と同色かつ膜厚が異なることを特徴としている。
【００２７】
上記の構成によれば、上記積層されるカラー層のうち少なくとも１つは、他のカラーフィルタ層を形成するためのカラー層と同色かつ膜厚が異なる。これにより、複数色のカラー層が積層されてなるカラーフィルタを含む場合でも、各カラーフィルタ層の膜厚（総厚）を任意に設定することができる。したがって、各色のカラーフィルタ層間の段差を小さくできる。また、複数のカラーフィルタ層に同色のカラー層を備え、上記同色のカラー層の膜厚をカラーフィルタ層ごとに設定することにより、色設計の自由度を向上させ、カラーフィルタの色再現範囲を拡大できる。
【００２８】
また、上記画素領域に備えられる各カラーフィルタ層は、当該各カラーフィルタ層の色数よりも少ない色数のカラー層の組み合わせからなる構成としてもよい。この場合、上記各カラーフィルタ層は、当該各カラーフィルタ層の色数よりも少ない色数のカラー層のうちいずれか１色の単層構造、または、当該各カラーフィルタ層の色数よりも少ない色数のカラー層のうちいずれか２色以上の積層構造によって構成される。
【００２９】
上記の構成によれば、画素領域に備えられる複数色のカラーフィルタ層を、それより少ない色数のカラー層の組み合わせによって形成することができる。したがって、各カラーフィルタ層をそれぞれ単色のカラー層で形成する場合に比べて、カラー層の色数を削減できる。このため、カラーフィルタの製造コストを低減することができる。
【００３０】
また、上記画素領域は、４色以上のカラーフィルタ層を備えていてもよい。この場合、３色以下のカラー層を組み合わせることによって、上記４色以上のカラーフィルタ層を形成することができる。
【００３１】
また、上記画素領域に備えられる全てのカラーフィルタ層が、Ｙ，Ｍ，Ｃのうち２色以上のカラー層の積層、または、Ｙ，Ｍ，Ｃのうちいずれか１色のカラー層の単層から形成されている構成としてもよい。
【００３２】
上記の構成によれば、上記画素領域に備えられる全てのカラーフィルタ層が、Ｙ，Ｍ，Ｃのカラー層の組み合わせによって形成される。したがって、Ｙ，Ｍ，Ｃの３色のカラー層によって、４色以上のカラーフィルタ層を形成することができ、カラーフィルタの製造コストを低減することができる。
【００３３】
また、上記画素領域は、Ｒのカラーフィルタ層と、Ｇのカラーフィルタ層と、Ｂのカラーフィルタ層とを備え、上記Ｒのカラーフィルタ層は、Ｙのカラー層とＭのカラー層とが積層されてなり、上記Ｇのカラーフィルタ層は、Ｙのカラー層とＣのカラー層とが積層されてなり、上記Ｂのカラーフィルタ層は、Ｃのカラー層とＭのカラー層とが積層されてなる構成としてもよい。
【００３４】
上記の構成によれば、Ｒ，Ｇ，Ｂの３原色のカラーフィルタ層を含む４色以上の全てのカラーフィルタ層を、Ｙ，Ｍ，Ｃのカラー層の組み合わせによって形成することができる。したがって、Ｒ，Ｇ，Ｂを含む４色以上のカラーフィルタ層を有するカラーフィルタの製造コストを低減することができる。
【００３５】
また、上記画素領域は、Ｙ，Ｍ，Ｃのいずれかのカラー層の単層からなるカラーフィルタ層を備え、上記単層からなるカラーフィルタ層を構成するカラー層の膜厚は、当該カラー層と同色であって、かつ、上記Ｒ，Ｇ，Ｂのいずれかのカラーフィルタ層に含まれるカラー層の膜厚よりも厚い構成としてもよい。
【００３６】
上記の構成によれば、上記Ｙ，Ｍ，Ｃのうち２色のカラー層が積層されてなる（組み合わされてなる）Ｒ，Ｇ，Ｂのカラーフィルタ層の膜厚（総厚）と、上記Ｙ，Ｍ，Ｃのいずれかのカラー層の単層からなるカラーフィルタ層の膜厚との差を小さくすることできる。例えば、Ｒ，Ｇ，Ｂのカラーフィルタ層の膜厚と、上記Ｙ，Ｍ，Ｃのいずれかのカラー層の単層からなるカラーフィルタ層の膜厚とを、略等しく（表示上の問題とならない程度に小さく）することができる。したがって、各色のカラーフィルタ層間の段差を小さくできる。
【００３７】
例えば、上記画素領域は、Ｙのカラー層の単層からなるＹのカラーフィルタ層と、Ｃのカラー層の単層からなるＣのカラーフィルタ層とを備えている構成としてもよい。
【００３８】
この場合、Ｒ，Ｇ，Ｂ，Ｙ，Ｃの５色のカラーフィルタ層を備えたカラーフィルタにおいて、各色のカラーフィルタ層間の段差を小さくするとともに、製造コストを低減することができる。
【００３９】
また、上記の構成に加えて、上記画素領域は、Ｍのカラー層の単層からなるＭのカラーフィルタ層をさらに備えている構成としてもよい。
【００４０】
この場合、Ｒ，Ｇ，Ｂ，Ｙ，Ｃ，Ｍの６色のカラーフィルタ層を備えたカラーフィルタにおいて、各色のカラーフィルタ層間の段差を小さくするとともに、製造コストを低減することができる。
【００４１】
また、上記各カラー層は、インクジェット法で吐出されたカラー材料からなるものであってもよい。
【００４２】
インクジェット方式では、カラー材料の吐出量を高精度に制御することができるので、各カラー層の膜厚を高精度に制御することができる。したがって、上記の構成によれば、各色のカラーフィルタ層間の段差をより小さくすることができる。
【００４３】
また、上記の構成では、各カラー層を形成するためのカラー材料がインクジェット方式で吐出され、少なくとも１つのカラーフィルタ層が複数色のカラー層の積層からなる。この場合、各カラーフィルタ層がそれぞれ単色のカラー材料がインクジェット方式で吐出されてなるカラー層である場合に比べて、製造工程において用いられるインクジェット装置の構成（ノズル、ヘッド、インクタンク、インク供給系の数など）を簡略化できる。したがって、インクジェット装置の設備費用を低減できる。また、インクジェット装置の調整やメンテナンス時間を短縮することによって、製造コストを低減できる。
【００４４】
本発明のカラーフィルタは、上記の課題を解決するために、互いに異なる色のカラーフィルタ層を備えた複数のサブピクセル領域からなる画素領域を有するカラーフィルタであって、上記カラーフィルタ層のうち少なくとも１つは、複数色のカラー材料が混合されてなり、上記混合されるカラー材料のうち少なくとも１つは、他のサブピクセル領域に備えられるカラーフィルタ層を形成するためのカラー材料と同色かつ量が異なることを特徴としている。
【００４５】
上記の構成によれば、上記混合されるカラー材料のうち少なくとも１つは、他のカラーフィルタ層を形成するためのカラー材料と同色かつ量が異なる。これにより、複数色のカラー材料が混合されてなるカラーフィルタを含む場合でも、各カラーフィルタ層の膜厚（総厚）を任意に設定することができる。したがって、各色のカラーフィルタ層間の段差を小さくできる。また、同色のカラー材料の量を各サブピクセル領域ごとに設定することにより、色設計の自由度を向上させ、カラーフィルタの色再現範囲を拡大できる。
【００４６】
また、上記の構成によれば、上記カラーフィルタ層のうち少なくとも１つは、複数色のカラー材料が混合されてなる。このように、上記カラー材料を混合する場合、各カラーフィルタ層がそれぞれ単色のカラー材料からなる構成に比べて、製造工程において用いられる、各サブピクセル領域にカラー材料を供給するための装置の構成を簡略化し、当該装置の設備費用および当該装置の調整やメンテナンス時間を低減できる。したがって、製造コストを低減できる。
【００４７】
また、上記画素領域に備えられる各カラーフィルタ層は、当該各カラーフィルタ層の色数よりも少ない色数のカラー材料の組み合わせからなる構成としてもよい。この場合、上記各カラーフィルタ層は、当該各カラーフィルタ層の色数よりも少ない色数のカラー材料のうちいずれか１色、または、当該各カラーフィルタ層の色数よりも少ない色数のカラー材料のうちいずれか２色以上の混合によって構成される。
【００４８】
上記の構成によれば、画素領域に備えられる複数色のカラーフィルタ層を、それより少ない色数のカラー材料の組み合わせによって形成することができる。したがって、各カラーフィルタ層をそれぞれ単色のカラー材料で形成する場合に比べて、カラー材料の色数を削減できる。このため、カラーフィルタの製造コストを低減することができる。
【００４９】
また、上記画素領域は、４色以上のカラーフィルタ層を備えていてもよい。この場合、３色以下のカラー材料を組み合わせることによって、上記４色以上のカラーフィルタ層を形成することができる。
【００５０】
また、上記画素領域に備えられる全てのカラーフィルタ層が、Ｙ，Ｍ，Ｃのうち２色以上のカラー材料が混合されてなるか、あるいは、Ｙ，Ｍ，Ｃのうちいずれか１色のカラー材料からなる構成としてもよい。
【００５１】
上記の構成によれば、上記画素領域に備えられる全てのカラーフィルタ層が、Ｙ，Ｍ，Ｃのカラー材料の組み合わせによって形成される。したがって、Ｙ，Ｍ，Ｃの３色のカラー材料によって、４色以上のカラーフィルタ層を形成することができ、カラーフィルタの製造コストを低減することができる。
【００５２】
また、上記画素領域は、上記画素領域は、Ｒのカラーフィルタ層と、Ｇのカラーフィルタ層と、Ｂのカラーフィルタ層とを備え、上記Ｒのカラーフィルタ層は、Ｙのカラー材料とＭのカラー材料とが混合されてなり、上記Ｇのカラーフィルタ層は、Ｙのカラー材料とＣのカラー材料とが混合されてなり、上記Ｂのカラーフィルタ層は、Ｃのカラー材料とＭのカラー材料とが混合されてなる構成としてもよい。
【００５３】
上記の構成によれば、Ｒ，Ｇ，Ｂの３原色のカラーフィルタ層を含む４色以上の全てのカラーフィルタ層を、Ｙ，Ｍ，Ｃのカラー材料の組み合わせによって形成することができる。したがって、Ｒ，Ｇ，Ｂを含む４色以上のカラーフィルタ層を有するカラーフィルタの製造コストを低減することができる。
【００５４】
また、上記画素領域は、Ｙ，Ｍ，Ｃのうちいずれか１色のみのカラー材料からなるカラーフィルタ層を備え、上記１色のみのカラー材料からなるカラーフィルタ層に含まれるカラー材料の量は、当該カラー材料と同色であって、かつ、上記Ｒ，Ｇ，Ｂのいずれかのカラーフィルタ層に含まれるカラー材料の量よりも多い構成としてもよい。
【００５５】
上記の構成によれば、上記Ｙ，Ｍ，Ｃのうち２色のカラー材料が混合されてなる（組み合わされてなる）Ｒ，Ｇ，Ｂのカラーフィルタ層の膜厚（総厚）と、上記Ｙ，Ｍ，Ｃのいずれか１色のみのカラー材料からなるカラーフィルタ層の膜厚との差を小さくすることできる。例えば、Ｒ，Ｇ，Ｂのカラーフィルタ層の膜厚と、上記Ｙ，Ｍ，Ｃのいずれか１色のみのカラー材料からなるカラーフィルタ層の膜厚とを、略等しく（表示上の問題とならない程度に小さく）することができる。したがって、各色のカラーフィルタ層間の段差を小さくできる。
【００５６】
例えば、上記画素領域は、Ｙのカラー材料からなるＹのカラーフィルタ層と、Ｃのカラー材料からなるＣのカラーフィルタ層とを備えている構成としてもよい。
【００５７】
この場合、Ｒ，Ｇ，Ｂ，Ｙ，Ｃの５色のカラーフィルタ層を備えたカラーフィルタにおいて、各色のカラーフィルタ層間の段差を小さくするとともに、製造コストを低減することができる。
【００５８】
また、上記の構成に加えて、上記画素領域は、Ｍのカラー材料からなるＭのカラーフィルタ層をさらに備えている構成としてもよい。
【００５９】
この場合、Ｒ，Ｇ，Ｂ，Ｙ，Ｃ，Ｍの６色のカラーフィルタ層を備えたカラーフィルタにおいて、各色のカラーフィルタ層間の段差を小さくするとともに、製造コストを低減することができる。
【００６０】
また、上記各カラー材料は、上記サブピクセル領域にインクジェット法で吐出されたものであってもよい。
【００６１】
インクジェット方式では、カラー材料の吐出量を高精度に制御することができるので、各カラー層の膜厚を高精度に制御することができる。したがって、上記の構成によれば、各色のカラーフィルタ層間の段差をより小さくすることができる。
【００６２】
また、上記の構成では、各カラーフィルタ層を形成するためのカラー材料が各サブピクセル領域にインクジェット方式で吐出され、少なくとも１つのカラーフィルタ層がサブピクセル領域内で複数色のカラー材料を混合されてなる。この場合、各カラーフィルタ層がそれぞれ単色のカラー材料がインクジェット方式で吐出されてなるカラー層である場合に比べて、製造工程において用いられるインクジェット装置の構成（ノズル、ヘッド、インクタンク、インク供給系の数など）を簡略化できる。したがって、インクジェット装置の設備費用を低減できる。また、インクジェット装置の調整やメンテナンス時間を短縮することによって、製造コストを低減できる。
【００６３】
本発明のカラーフィルタは、上記の課題を解決するために、互いに異なる色のカラーフィルタ層を備えた複数のサブピクセル領域からなる画素領域を有するカラーフィルタであって、上記各カラーフィルタ層は、上記各サブピクセル領域にインクジェット法で吐出されたカラー材料からなり、上記カラーフィルタ層のうち少なくとも１つは、当該カラーフィルタ層が形成されるサブピクセル領域に吐出された複数色のカラー材料が当該サブピクセル内で混合されるか、あるいは、当該カラーフィルタ層が形成されるサブピクセル領域に吐出された複数色のカラー材料からそれぞれ形成される複数色のカラー層が積層されてなることを特徴としている。
【００６４】
上記の構成によれば、上記カラーフィルタ層のうち少なくとも１つは、当該カラーフィルタ層が形成されるサブピクセル領域に吐出された複数色のカラー材料が当該サブピクセル内で混合されるか、あるいは、当該カラーフィルタ層が形成されるサブピクセル領域に吐出された複数色のカラー材料からそれぞれ形成される複数色のカラー層が積層されてなる。これにより、上記各サブピクセル領域に、それぞれ異なる色のカラー材料を吐出する場合に比べて、吐出するカラー材料の色数を削減することができる。したがって、製造工程において用いるインクジェット装置の構成（ノズル、ヘッド、インクタンク、インク供給系の数など）を簡略化できるので、インクジェット装置の設備費用を低減できる。また、インクジェット装置の調整やメンテナンス時間を短縮することによって、製造コストを低減できる。
【００６５】
また、上記各カラーフィルタ層の平均膜厚の最大値と最小値との差が、０．２μｍ未満であることが好ましい。この場合、上記各カラーフィルタの段差が、表示上の問題となることを確実に防止できる。
【００６６】
本発明の表示パネルは、上記したいずれかのカラーフィルタを備えている。また、本発明の表示装置は、上記したいずれかのカラーフィルタを備えている。また、本発明の表示装置は、光シャッター型の表示装置であってもよい。
【００６７】
上記の構成によれば、各色のカラーフィルタ層間の段差が小さいカラーフィルタを用いているので、表示性能の優れた表示パネルまたは表示装置を実現できる。また、製造コストが安価なカラーフィルタを用いているので、表示パネルまたは表示装置のコストを低減できる。
【００６８】
本発明のカラーフィルタの製造方法は、上記の課題を解決するために、互いに異なる色のカラーフィルタ層を備えた複数のサブピクセル領域からなる画素領域を有するカラーフィルタの製造方法であって、上記各サブピクセル領域に、インクジェット法によって上記各カラーフィルタ層を形成するための複数色のカラー材料を吐出する吐出工程を含み、上記吐出工程において、上記複数のサブピクセル領域のうち少なくとも１つに、互いに異なる２色以上のカラー材料を吐出することを特徴としている。
【００６９】
上記の製造方法によれば、上記複数のサブピクセル領域のうち少なくとも１つに、互いに異なる２色以上のカラー材料を吐出する。これにより、上記各サブピクセル領域に、それぞれ異なる色のカラー材料を吐出する場合に比べて、吐出するカラー材料の色数を削減することができる。したがって、製造工程において用いるインクジェット装置の構成（ノズル、ヘッド、インクタンク、インク供給系の数など）を簡略化できるので、インクジェット装置の設備費用を低減できる。また、インクジェット装置の調整やメンテナンス時間を短縮することによって、製造コストを低減できる。
【００７０】
また、上記吐出工程において上記複数色のカラー材料を色ごとに順次吐出するカラーフィルタの製造方法であって、上記色ごとに吐出したカラー材料を焼成してカラー層を形成した後に、次の色のカラー材料を、当該カラー材料を吐出すべき各サブピクセル領域に吐出するようにしてもよい。
【００７１】
上記の製造方法によれば、上記カラーフィルタのうち少なくとも１つを、複数色のカラー層を積層することによって形成できる。
【００７２】
あるいは、上記少なくとも１つのサブピクセル領域に吐出された２色以上のカラー材料を、当該サブピクセル領域において混合させるようにしてもよい。
【００７３】
上記の製造方法によれば、上記カラーフィルタのうち少なくとも１つを、サブピクセル領域において複数色のカラー材料を混合することによって形成できる。
【００７４】
また、上記少なくとも１つのサブピクセル領域に形成するカラーフィルタ層の色に応じて、当該サブピクセル領域に吐出する上記２色以上のカラー材料それぞれの量を設定してもよい。
【００７５】
この場合、色設計の自由度を向上させ、カラーフィルタの色再現範囲を拡大できる。
【００７６】
また、上記各サブピクセル領域に備えられる各カラーフィルタ層の膜厚が略等しくなるように、上記各色のカラー材料の各サブピクセル領域に対する吐出量を設定してもよい。ここで、各カラーフィルタ層の膜厚が略等しいとは、各カラーフィルタ層の膜厚差によって生じる段差が、表示上の問題を引き起こさない程度に小さいことを意味する。
【００７７】
上記の製造方法によれば、各カラーフィルタ層の膜厚が略等しくすることにより、各カラーフィルタ層の段差が表示上の問題を引き起こすことを防止することができる。
【発明の効果】
【００７８】
本発明のカラーフィルタは、上記カラーフィルタ層のうち少なくとも１つは、複数色のカラー層が積層されてなり、上記積層されるカラー層のうち少なくとも１つは、他のカラーフィルタ層を形成するためのカラー層と同色かつ膜厚が異なる。
【００７９】
それゆえ、複数色のカラー層が積層されてなるカラーフィルタを含む場合でも、各カラーフィルタ層の膜厚（総厚）を任意に設定することができる。したがって、各色のカラーフィルタ層間の段差を小さくできる。
【００８０】
本発明のカラーフィルタは、上記カラーフィルタ層のうち少なくとも１つは、複数色のカラー材料が混合されてなり、上記混合されるカラー材料のうち少なくとも１つは、他のサブピクセル領域に備えられるカラーフィルタ層を形成するためのカラー材料と同色かつ量が異なる。
【００８１】
それゆえ、複数色のカラー材料が混合されてなるカラーフィルタを含む場合でも、各カラーフィルタ層の膜厚（総厚）を任意に設定することができる。したがって、各色のカラーフィルタ層間の段差を小さくできる。
【００８２】
また、製造工程において用いられる、各サブピクセル領域にカラー材料を供給するための装置の構成を簡略化し、当該装置の設備費用および当該装置の調整やメンテナンス時間を低減できるので、製造コストを低減できる。
【００８３】
本発明のカラーフィルタは、上記各カラーフィルタ層は、上記各サブピクセル領域にインクジェット法で吐出されたカラー材料からなり、上記カラーフィルタ層のうち少なくとも１つは、当該カラーフィルタ層が形成されるサブピクセル領域に吐出された複数色のカラー材料が当該サブピクセル内で混合されるか、あるいは、当該カラーフィルタ層が形成されるサブピクセル領域に吐出された複数色のカラー材料からそれぞれ形成される複数色のカラー層が積層されてなる。
【００８４】
それゆえ、上記各サブピクセル領域に、それぞれ異なる色のカラー材料を吐出する場合に比べて、吐出するカラー材料の色数を削減することができる。したがって、製造工程において用いるインクジェット装置の構成（ノズル、ヘッド、インクタンク、インク供給系の数など）を簡略化できるので、インクジェット装置の設備費用を低減できる。また、インクジェット装置の調整やメンテナンス時間を短縮することによって、製造コストを低減できる。
【００８５】
また、本発明のカラーフィルタを、表示パネルや表示装置（例えば光シャッター型の表示装置）に備えることにより、表示性能の優れた安価な表示パネルや表示装置を実現できる。
【００８６】
本発明のカラーフィルタの製造方法は、上記各サブピクセル領域に、インクジェット法によって上記各カラーフィルタ層を形成するための複数色のカラー材料を吐出する吐出工程を含み、上記吐出工程において、上記複数のサブピクセル領域のうち少なくとも１つに、互いに異なる２色以上のカラー材料を吐出する。
【００８７】
それゆえ、上記各サブピクセル領域に、それぞれ異なる色のカラー材料を吐出する場合に比べて、吐出するカラー材料の色数を削減することができる。したがって、製造工程において用いるインクジェット装置の構成（ノズル、ヘッド、インクタンク、インク供給系の数など）を簡略化できるので、インクジェット装置の設備費用を低減できる。また、インクジェット装置の調整やメンテナンス時間を短縮することによって、製造コストを低減できる。
【発明を実施するための最良の形態】
【００８８】
本発明の一実施形態について説明する。本実施形態にかかるカラーフィルタは、液晶表示装置（表示装置）の表示パネルに備えられるものである。
【００８９】
図２は、本実施形態にかかるカラーフィルタを備えてなる表示パネル３０を有する液晶表示装置（表示装置）２１の概略構成を示すブロック図である。この図に示すように、液晶表示装置２１は、データ入力部２２、データ変換部２３、液晶駆動波形生成部２４、ソース駆動部２５、ゲート駆動部２６、液晶表示パネル（表示パネル）３０、バックライト（図示せず）を備えている。
【００９０】
液晶表示装置２１は、例えば、テレビ（ＴＶ）チューナー等の画像データを出力する機器に接続されるものである。なお、本実施形態にかかる液晶表示装置２１は、３７型ＷＸＧＡの液晶表示パネル３０を備えている。
【００９１】
データ入力部２２は、入力された映像信号（入力信号）を、液晶表示パネル３０の解像度に応じたディジタル信号に変換を行い、変換したディジタル信号をデータ変換部２３に伝送する。また、データ入力部２２は、映像信号に応じたクロック信号やスタートパルス等の制御信号を液晶駆動波形生成部２４に伝送する。
【００９２】
データ変換部２３は、ピクセル単位のデータを、液晶表示パネル３０の各サブピクセルに適合するように変換し、変換したデータをソース駆動部２５に伝送する。
【００９３】
液晶駆動波形生成部２４は、ソース駆動部２５およびゲート駆動部２６を駆動させるための制御信号を生成して、その信号をソース駆動部２５およびゲート駆動部２６に伝送する。
【００９４】
ソース駆動部２５は、液晶表示パネル３０のそれぞれのサブピクセルに印加するための信号電圧を生成し、液晶表示パネル３０に備えられる複数のソースバスライン（図示せず）に生成した信号電圧を印加する。
【００９５】
ゲート駆動部２６は、液晶表示パネル３０の各サブピクセルに備えられるＴＦＴ（スイッチング素子）を開閉させる信号を生成し、液晶表示パネル３０に備えられる複数のゲートバスライン（図示せず）に生成した信号に応じた電圧を印加する。
【００９６】
液晶表示パネル３０は、ソース駆動部２５に接続された複数のソースバスラインとゲート駆動部２６に接続された複数のゲートバスライン（いずれも図示せず）とが直交することによって形成される格子状の各矩形部に配置されたサブピクセルの状態が変化することによって、透過光の強さを変化させて表示を行う。
【００９７】
図３は、液晶表示パネル３０の概略構成を示すブロック図である。この図に示すように、液晶表示パネル３０は、カラーフィルタ（ＣＦ）基板３１、カラーフィルタ部（カラーフィルタ）３２、対向電極（電極）３３、ＴＦＴ基板３４、画素電極３５、ＴＦＴ（スイッチング素子）３６、液晶層３７、偏向板３８、偏向板３９からなる。
【００９８】
カラーフィルタ基板３１とＴＦＴ基板３４とは互いに対向するように配置されている。また、カラーフィルタ基板３１におけるＴＦＴ基板３４との対向面には、カラーフィルタ部３２が形成されている。なお、カラーフィルタ部３２は、Ｒ（赤），Ｇ（緑），Ｙ（イエロー），Ｃ（シアン），Ｂ（ブルー）の５色に対応する５つのサブピクセル領域と、各サブピクセル領域を隔てるブラックマトリクス４６とから構成されている（詳細は後述する）。また、カラーフィルタ部３２におけるＴＦＴ基板３４側の面を覆うように、対向電極３３が形成されている。また、カラーフィルタ基板３１におけるＴＦＴ基板３４との対向面とは反対側の面には、偏向板３８が形成されている。
【００９９】
ＴＦＴ基板３４におけるカラーフィルタ基板３１との対向面には、画素電極３５とＴＦＴ（Thin Film Transistor）３６とが、１画素について５組ずつ形成されている。そして、１組の画素電極３５およびＴＦＴ３６と、それに対向するカラーフィルタ層およびその表面に設けられた対向電極３３と、それらに挟まれた液晶層３７とによって、サブピクセルが構成される。また、ＴＦＴ基板３４におけるカラーフィルタ基板３１との対向面とは反対側の面には、偏向板３９が形成されている。また、液晶表示装置２１では、液晶表示パネル３０の偏向板３９側に隣接するように、バックライト４０が備えられる。
【０１００】
ＴＦＴ３６は、例えばＦＥＴ（電界効果型トランジスタ）からなり、ゲート電極がゲートバスラインに接続され、ドレイン電極がソースバスラインに接続され、ソース電極が画素電極３５に接続されている。なお、対向電極３３は、全サブピクセルについて共通の共通電極線（図示せず）に接続されている。
【０１０１】
これにより、ゲート駆動部２６によってゲートバスラインが選択されると、そのゲートバスラインに接続されたＴＦＴ３６が導通し、ソース駆動部２５からソースバスラインに出力される信号電圧が、そのＴＦＴ３６に対応するサブピクセルに印加される。また、各サブピクセルは、上記ゲートバスラインの選択期間が終了してＴＦＴ３６が遮断されている間も、理想的には、遮断時の電圧を保持し続ける。このように各サブピクセルに電圧を印加することで、各サブピクセルにおける液晶層３７に封入された液晶分子の配置が変化し、バックライトから入射される光の透過光量が変化する。すなわち、液晶表示装置２１は、液晶層３７に電界を印加することによって光の透過状態を変化させる、光シャッター型の表示装置である。
【０１０２】
次に、カラーフィルタ部３２について説明する。図１は、カラーフィルタ基板３１およびカラーフィルタ部３２の１画素に対応する部分を示す断面図であり、図４はその平面図である。これらの図に示すように、カラーフィルタ部３２は、１画素に対応する部分が、カラーフィルタ基板３１上に形成された、それぞれＲ（赤），Ｇ（緑），Ｙ（イエロー），Ｃ（シアン），Ｂ（ブルー）の５色に対応する５つのサブピクセル領域と、各サブピクセル領域を隔てるブラックマトリクス４６とから構成される。各サブピクセル領域の大きさは、縦６００μｍ×横１２０μｍである。また、各サブピクセル領域には、Ｒ（赤），Ｇ（緑），Ｙ（イエロー），Ｃ（シアン），Ｂ（ブルー）のカラーフィルタ層４１〜４５のいずれかが形成されている。
【０１０３】
なお、図１に示したように、カラーフィルタ１におけるＲ，Ｇ，Ｂのカラーフィルタ層４１，４２，４５は、それぞれ、Ｙのカラー層４１ＹとＭのカラー層４１Ｍ、Ｙのカラー層４２ＹとＣのカラー層４２Ｃ、Ｃのカラー層４５ＣとＭのカラー層４５Ｍの積層構造によって形成されている。一方、Ｙのカラーフィルタ層４３およびＣのカラーフィルタ層４４は、それぞれ、Ｙのカラー層４３Ｙ、Ｃのカラー層４４Ｃの単層構造によって形成されている。
【０１０４】
ここで、カラーフィルタ部３２の製造方法（製造プロセス）について説明する。図５（ａ）〜図５（ｄ）は、カラーフィルタ部３２の製造工程を示す断面図である。
【０１０５】
まず、図５（ａ）に示すように、例えばガラス基板などからなるカラーフィルタ基板３１上に、ブラックマトリクス４６を形成する。なお、ブラックマトリクス４６を、以降の工程において各カラー層をインクジェット方式で形成する際にカラーフィルタ基板３１上に吐出されたインクを堰き止めるバンク機能を有するように、各サブピクセル領域を取り囲む枠状に形成する。ここでは、ブラックマトリクス４６の幅（図５（ａ）における基板面水平方向の幅）を３０μｍ、膜厚（図５（ａ）における基板面垂直方向の厚さ）を４．０μｍとした。
【０１０６】
ブラックマトリクス４６の材質は、特に限定されるものではなく、例えば樹脂材料を用いて形成すればよい。また、樹脂材料に、撥水材料を積層したブラックマトリクスを用いてもよい。この場合には、バンク機能に加えて撥水機能（撥水バンク機能）を有することになる。あるいは、金属材料からなるブラックマトリクス上に、樹脂膜を形成したものをブラックマトリクス４６として用いてもよい。例えば、膜厚０．２μｍのＣｒメタル（バンク機能を有するブラックマトリクス）上に、膜厚３．８μｍの撥水性の樹脂膜バンク（撥水バンク）を形成する構造としてもよい。
【０１０７】
次に、図５（ｂ）に示すように、Ｒのカラーフィルタ層４１、Ｇのカラーフィルタ層４２、Ｙのカラーフィルタ層４３を形成するサブピクセル領域に、Ｙ色のカラーインク材料（カラー材料）を、インクジェット装置を用いてインクジェット法により吐出する。
【０１０８】
ここで、各サブピクセル領域へのＹ色のカラーインクの吐出量は、各サブピクセル領域に形成するカラーフィルタ層の最終の仕上がり膜厚が３．０μｍになるように調整する。すなわち、下記表１に示すように、Ｙのカラーフィルタ層４３を形成するサブピクセル領域にはＹ色のカラーインクを３．０μｍの膜厚となるように吐出し、Ｇのカラーフィルタ層４２を形成するサブピクセル領域にはＹ色のカラーインクを１．０μｍの膜厚となるように吐出し、Ｒのカラーフィルタ層４１を形成するサブピクセル領域にはＹ色のカラーインクを１．２μｍの膜厚となるように吐出する。
【０１０９】
【表１】
2006162706.tif 000003
【０１１０】
さらに、上記のようにＹ色のカラーインクを吐出した後、焼成を行い、Ｙ材料（Ｙ色のカラーインク）を安定化させ、Ｙのカラー層４１Ｙ，４２Ｙ，４３Ｙを形成する。
【０１１１】
次に、図５（ｃ）に示すように、Ｒのカラーフィルタ層４１、Ｂのカラーフィルタ層４５を形成するサブピクセル領域に、Ｍ色のカラーインク材料を、インクジェット装置を用いてインクジェット法により吐出する。
【０１１２】
ここで、各サブピクセル領域へのＭ色のカラーインクの吐出量は、Ｙ色のカラーインクの場合と同様、各サブピクセル領域に形成するカラーフィルタ層の最終の仕上がり膜厚が３μｍとなるように調整する。すなわち、上記表１に示すように、Ｒのカラーフィルタ層４１を形成するサブピクセル領域には、Ｍ色のカラーインクを１．８μｍの膜厚となるように吐出し、Ｂのカラーフィルタ層４５を形成するサブピクセル領域には、Ｍ色のカラーインクを１．４μｍの膜厚となるように吐出する。
【０１１３】
そして、上記のようにＭ色のカラーインクを吐出した後、焼成を行い、Ｍ材料（Ｍ色のカラーインク）を安定化させ、Ｍのカラー層４１Ｍ，４５Ｍを形成する。
【０１１４】
次に、図５（ｄ）に示すように、Ｇのカラーフィルタ層４２、Ｃのカラーフィルタ層４４、Ｂのカラーフィルタ層４５を形成するサブピクセル領域に、Ｃ色のカラーインク材料を、インクジェット装置を用いてインクジェット法により吐出する。
【０１１５】
ここで、各サブピクセル領域へのＣ色のカラーインクの吐出量は、Ｙ色およびＭ色のカラーインクの場合と同様、各サブピクセル領域に形成するカラーフィルタ層の最終の仕上がり膜厚が３μｍとなるように調整する。すなわち、上記表１に示すように、Ｇのカラーフィルタ層４２を形成するサブピクセル領域にはＭ色のカラーインクを２．０μｍの膜厚となるように吐出し、Ｃのカラーフィルタ層４４を形成するサブピクセル領域にはＣ色のカラーインクを３．０μｍの膜厚となるように吐出し、Ｂのカラーフィルタ層４５を形成するサブピクセル領域にはＣ色のカラーインクを１．６μｍの膜厚となるように吐出する。
【０１１６】
そして、上記のようにＣ色のカラーインクを吐出した後、焼成を行い、Ｃ材料（Ｃ色のカラーインク）を安定化させ、Ｃのカラー層４２Ｃ，４４Ｃ，４５Ｃを形成する。これにより、図５（ｄ）に示すように、各サブピクセル領域に、膜厚の均等なＲ，Ｇ，Ｙ，Ｃ，Ｂのカラーフィルタ層４１〜４５が形成される。
【０１１７】
図６は、上記のカラーフィルタ製造工程において用いたＹ，Ｍ，Ｃの各カラーインクのカラースペクトルと、上記の積層条件で形成したＲ，Ｇ，Ｂの各カラーフィルタ層のカラースペクトルとを示すグラフである。
【０１１８】
また、図７は、上記のように形成したカラーフィルタ部３２を用いた液晶表示パネル３０における色再現範囲を示すグラフであり、下記表２は各色の色度座標を示している。なお、色再現範囲の測定には、バックライト（光源）４０として、シャープ株式会社製の液晶テレビ「アクオス（登録商標）ＬＣ−２２ＡＡ１」搭載のバックライトを使用した。
【０１１９】
【表２】
2006162706.tif 000004
【０１２０】
なお、上記のように形成した液晶表示パネル３０のＮＴＳＣ比は９６．８％であった。つまり、現行の一般的なＲ，Ｇ，Ｂのサブピクセルを備えた液晶テレビではＥＢＵ規格準拠を目指しているため、ＮＴＳＣ比は７２％前後であるのに対して、液晶表示パネル３０では、色再現範囲を大幅に拡大することができた。
【０１２１】
また、上記のように形成したＲ，Ｇ，Ｂのカラーフィルタ層からなる３色のサブピクセルを用いた液晶表示パネルのＮＴＳＣ比は、８８．８％であった。つまり、サブピクセルの色数を３色から５色に増やすことにより、色再現範囲を大幅に拡大することができた。なお、この３色のサブピクセルを用いた液晶表示パネルでは、輝度が、上記５色のサブピクセルを用いた液晶表示パネル３０に対して４２％、上記現行の一般的な液晶テレビに対して４０〜５０％に低下した。これは、ＹとＣの輝度値（Ｙ値）が大きいためであると考えられる。
【０１２２】
したがって、サブピクセルの色数を増やすこと（例えば４色〜６色とすること）により、色の利用効率を確保しながら色再現範囲を拡大することができる。なお、３色の場合でもカラーフィルタ層の膜厚を厚くすれば色再現範囲は広がるが、輝度が低下してしまう。
【０１２３】
以上のように、本実施形態にかかるカラーフィルタ１は、Ｒ，Ｇ，Ｙ，Ｃ，Ｂのカラーフィルタ層４１〜４５を有しており、Ｒ，Ｇ，Ｂのカラーフィルタ層４１，４２，４５は、それぞれ、Ｙのカラー層４１ＹとＭのカラー層４１Ｍ、Ｙのカラー層４２ＹとＣのカラー層４２Ｃ、Ｃのカラー層４５ＣとＭのカラー層４５Ｍの積層構造によって形成されている。
【０１２４】
このような複数色のカラー層の積層構造によってカラーフィルタ層を形成することにより、所望の色のカラーフィルタ層を実現できる。
【０１２５】
なお、本実施形態では、上記表１に示したように、Ｒのカラーフィルタ層を形成するＹのカラー層４１Ｙと、Ｇのカラーフィルタ層４２を形成するＹのカラー層４２Ｙと、Ｙのカラーフィルタ層４３を形成するＹのカラー層４３Ｙとは、それぞれ膜厚が異なっている。同様に、Ｃのカラー層４２Ｃ、４４Ｃ、４５Ｃの膜厚はそれぞれ異なっており、Ｍのカラー層４１Ｍと４５Ｍとの膜厚も互いに異なっている。
【０１２６】
このように、各カラーフィルタ層の色に応じて、各サブピクセル領域に形成するカラー層の膜厚をそれぞれ設定することにより、所望の色のカラーフィルタ層を実現できる。
【０１２７】
また、本実施形態では、各サブピクセルにおけるカラーフィルタ層の膜厚を３．０μｍとしているが、これに限るものではなく、適宜変更してもよい。ただし、製造を容易にするために、各サブピクセルにおけるカラーフィルタ層の膜厚を３．０μｍ程度とすることが好ましい。
【０１２８】
また、各サブピクセルにおけるカラーフィルタ層の膜厚は互いに略等しいことが好ましい。例えば、各カラーフィルタ層の平均膜厚の最大値と最小値との差が、０．２μｍ未満であることが好ましい。これにより、各カラーフィルタ間の段差を表示上の問題とならない程度に小さくすることができる。したがって、各カラーフィルタ層の平均膜厚の最大値と最小値との差が０．２μｍ未満となるように、各色のカラー材料の各サブピクセル領域に対する吐出量を設定することが好ましい。
【０１２９】
また、本実施形態にかかるカラーフィルタ１は、Ｒ，Ｇ，Ｙ，Ｃ，Ｂの５色のカラーフィルタ層４１〜４５を、Ｙ，Ｃ，Ｍの３色のカラー層によって形成している。すなわち、カラーフィルタ１に含まれる複数色のカラーフィルタ層を、カラーフィルタ層の色数よりも少ない色数のカラー層の組み合わせによって、形成している。これにより、各カラーフィルタ層を、カラーフィルタ層の色数と同数のカラー層によって形成する場合に比べて、製造コストを低減できる。
【０１３０】
また、本実施形態にかかるカラーフィルタ１では、各カラーフィルタ層４１〜４５は、単色のカラー層からなる単層構造、または、２色のカラー層の積層構造によって形成されている。ただし、各カラーフィルタ層の構成はこれに限るものではなく、例えば、３色以上のカラー層の積層構造からなるカラーフィルタ層を含んでいてもよい。
【０１３１】
また、本実施形態では、Ｒ，Ｇ，Ｙ，Ｃ，Ｂの５色のカラーフィルタ層４１〜４５を備えたカラーフィルタ１について説明したが、これに限るものではない。
【０１３２】
例えば、上記５色のカラーフィルタ層４１〜４５に加えて、Ｍのカラーフィルタ層を設け、１画素領域にＲ，Ｇ，Ｙ，Ｃ，Ｂ，Ｍの６色のカラーフィルタ層を備える構成としてもよい。この場合、Ｍのカラーフィルタ層については、Ｍのカラー層の単層構造とすればよい。また、上記５色のカラーフィルタ層４１〜４５に加えて、複数色のカラー層の積層構造からなるカラーフィルタ層を設けてもよい。あるいは、上記Ｒ，Ｇ，Ｙ，Ｃ，Ｂの５色のカラーフィルタ層４１〜４５のうちいずれか１つ以上を設けない構成としてもよい。また、上記５色のカラーフィルタ層４１〜４５のうちいずれか１つ以上を、他の色のカラーフィルタ層に代えてもよい。
【０１３３】
また、各カラーフィルタ層４１〜４５は、Ｙ，Ｍ，Ｃのカラーインクがインクジェット方式によって吐出され、焼成されてなる。このように、インクジェット方式を用いて各カラー層を形成することにより、各カラー層の膜厚を適切に制御できるので、膜厚の安定したカラーフィルタ層を形成することができる。
【０１３４】
また、各サブピクセルにおけるカラーフィルタ層の膜厚を変更する場合、複数色のカラー層の積層構造によって形成するカラーフィルタ層では、各色のカラー層の膜厚を、所望のカラーフィルタ層の色を実現できるように適宜設定すればよい。例えば、カラーフィルタ層の色が所望の色になるように、各カラー層の膜厚を、当該各膜厚とスペクトルとに応じて計算して設定すればよい。
【０１３５】
また、本実施形態では、複数色のカラーインク材料からなるカラーフィルタ層を形成する場合に、１色目のカラーインク材料を吐出した後にそれを焼成して１色目のカラー層を形成し、この１色目のカラー層の上に２色目のカラーインク材料を吐出した後にそれを焼成して２色目のカラー層を形成している。例えば、Ｒのサブピクセル領域に、Ｙのカラーインク材料を吐出した後にそれを焼成してＹのカラー層４１Ｙを形成し、その上にＭのカラーインク材料を吐出した後にそれを焼成してＭのカラー層４１Ｍを形成し、これによってＹのカラー層４１ＹとＭのカラー層４１Ｍとの積層構造からなるＲのカラーフィルタ層４１を形成している。
【０１３６】
しかしながら、各カラーフィルタ層の形成方法はこれに限るものではない。例えば、１色目のカラーインク材料を吐出した後、それと同じ領域に２色目のカラーインク材料を吐出し、両者を混合させた後にそれを焼成することにより、複数色のカラーインク材料からなるカラーフィルタ層を形成してもよい。すなわち、複数色のカラーインク材料を同一のサブピクセル領域に吐出して混合させた後に、それを焼成することで、複数色のカラーインク材料からなるカラーフィルタ層を形成してもよい。
【０１３７】
例えば、Ｒのカラーフィルタ層４１を形成する場合に、Ｒのサブピクセル領域にＹのカラーインク材料を吐出し、それと同じ領域にＭのカラーインク材料を吐出し、Ｙのカラーインク材料とＭのカラーインク材料とを混合させた後に、当該混合させたカラーインク材料を焼成することにより、Ｒのカラーフィルタ層４１を形成してもよい。
【０１３８】
なお、複数色のカラーインク材料をサブピクセル内で混合する場合、上記混合する各カラーインク材料の量は、形成するカラーフィルタ層の色に応じて適宜設定すればよい。また、この場合、複数色のカラー層の積層構造からなるカラーフィルタ層を形成する場合と同様、各カラーフィルタ層の膜厚が互いに略等しくなるようにすることが好ましい。
【０１３９】
例えば、各カラーフィルタ層の膜厚を３．０μｍとする場合、各カラーインク材料の混合比（体積比）を、上記表１に示した各カラー層の膜厚比と同様に設定すればよい。例えば、Ｒのカラーフィルタ層４１を形成する場合、Ｙのカラーインク材料の吐出量とＭのカラーインク材料の吐出量との体積比が１．２：１．８となり、最終的に形成されるカラーフィルタ層４１の膜厚が３．０μｍとなるように各カラーインク材料の吐出量を設定すればよい。
【０１４０】
このように、各サブピクセル領域内に複数色のカラーインク材料を吐出してから混合することによってカラーフィルタ層を形成する場合、あるいは、各サブピクセル内に複数色のカラー層を積層してカラーフィルタ層を形成する場合には、各カラーフィルタ層をそれぞれ単色のカラーインク材料を吐出して形成する場合に比べて、インクジェット装置の構成（ノズル、ヘッド、インクタンク、インク供給系の数など）を低減できる。したがって、したがって、インクジェット装置の装置コスト（設備費用）低減することができる。また、吐出するカラーインク材料の色数を少なくすることで装置構成（ノズル、ヘッド、インクタンク、インク供給系）を簡略化することにより、装置の調整やメンテナンス時間を短縮し、製造コストを低減できる。例えば、ヘッド調整（色間、ヘッド間の吐出位置の補正）の工程数は色数に比例して増加するので、ヘッド数を低減することによってそれに要する時間を短縮できる。
【０１４１】
また、一般に、カラーフィルタに要求される色は、アプリケーションやセットメーカーごとに異なるため、各カラーフィルタ層の色の切り替えが頻繁に必要である。このため、従来のように、各色のサブピクセル領域にそれぞれ単色のカラーインク材料を吐出する方法では、必要とするカラーフィルタ層の色が変更になった場合、カラーインク材料（色材料）自体を変更する必要があった。
【０１４２】
これに対して、本実施形態のように、各サブピクセル領域内に複数色のカラーインク材料を吐出する場合（複数色のカラーインク材料の混合、または、複数色のカラー層の積層により各色のカラーフィルタ層を形成する場合）には、必要とするカラーフィルタ層の色が変更になった場合に、そのカラーフィルタ層を形成するサブピクセル領域に吐出するカラーインク材料の比（複数色のカラー層の膜厚比または複数色のカラーインク材料の混合比）を変更することで必要な色を得ることができる。
【０１４３】
また、本実施形態では、各カラーフィルタ層の膜厚３．０μｍに対して、ブラックマトリクス４６の膜厚を４．０μｍとしているが、これに限るものではなく、例えば、ブラックマトリクス４６の膜厚と各カラーフィルタ層の膜厚とが同じであってもよい。
【０１４４】
なお、ブラックマトリクス４６の膜厚を各カラーフィルタ層の膜厚よりもわずかに大きくすることにより、ブラックマトリクス４６をバンクとして適切に機能させることができる。すなわち、各サブピクセル領域にインクジェット方式でカラー材料を吐出する際、ブラックマトリクス４６によって、カラー材料が他のサブピクセルに流出することを確実に防止できる。
【０１４５】
ただし、ブラックマトリクス４６の膜厚と各カラーフィルタ層の膜厚との差が大きすぎると、両者の段差によって、液晶ディスプレイ（液晶表示装置）とした場合に液晶の配向が乱れる場合がある。そして、このような液晶の配向の乱れを防止するために、オーバーコート層による平坦化が必要となり、製造費用の増加を招いてしまう。このため、ブラックマトリクス４６の膜厚を各カラーフィルタ層の膜厚よりも大きくする場合には、液晶の配向の乱れを生じさせないように、両者の差を０．５μｍ〜１μｍの範囲内とすることが好ましい。
【０１４６】
また、本実施形態では、３７型ＷＸＧＡパネル（表示パネル）に適用するためのカラーフィルタについて説明したが、これに限るものではない。他のサイズのパネル（表示パネル）に適用してもよく、また、各サブピクセルのサイズは、適用する表示パネルのサイズ等に応じて適宜変更すればよい。
【０１４７】
また、本実施形態では、テレビ（ＴＶ）チューナー等の画像データを出力する機器に接続される表示装置について説明したが、これに限るものではない。例えば、ビデオテープやＤＶＤ等の記録媒体に記録された画像データを表示するためのものであってもよく、あるいは、パーソナルコンピュータに接続される表示装置であってもよい。また、携帯電話やＰＨＳ（Personal Handyphone System；登録商標）、ＰＤＡ（personal digital assistants）、ビデオカメラ、デジタルカメラなどに備えられる表示装置であってもよい。
【０１４８】
また、本実施形態では、本発明のカラーフィルタ（カラーフィルタ基板３１およびカラーフィルタ部３２）を液晶表示装置（液晶表示パネル）に備える場合について説明したが、本発明のカラーフィルタの適用対象はこれに限るものではない。カラーフィルタを必要とするあらゆる表示装置に適用することができる。例えば、本発明のカラーフィルタを、液晶表示装置以外の光シャッター型の表示装置に用いてもよい。
【０１４９】
本実施形態では、各カラーフィルタ層の形成にインクジェット法を用いている。また、従来のインクジェット法を用いたカラーフィルタの製造方法では、各サブピクセル（各サブピクセル領域）にはそれぞれ特定の色のみが配置されるが、本実施形態では、複数の色をサブピクセル領域内で混合、もしくは積層することにより当該サブピクセル領域に形成するカラーフィルタ層の透過波長ピークを変更している。
【０１５０】
また、本実施形態にかかるカラーフィルタは、４色〜６色のサブピクセル領域（カラーフィルタ層）を有するカラーフィルタにおいて、インクジェット顔料（カラー材料）には、補色系顔料Ｙ、Ｍ、Ｃの３色を採用し、Ｒ，Ｇ，Ｙのサブピクセル領域にＹ色を、Ｇ、Ｂ、Ｃのサブピクセル領域にＣ色を、Ｒ，Ｂ、Ｍのサブピクセル領域にＭ色を吐出し、各色のカラーフィルタ層を層状に形成している。
【０１５１】
また、各顔料（カラー材料）の吐出量は、当該色の顔料が配置されるサブピクセル領域のうち少なくとも１つのサブピクセル領域について異なっている。これにより、カラーフィルタ全体の段差を抑制することが可能となる。また、吐出量を各サブピクセル領域で変更することにより、色設計の自由度を向上させ、結果的にディスプレイの色再現範囲を拡大できる。
【０１５２】
また、カラーフィルタ層を複数色のカラー材料を混合することによって形成する場合には、各カラー材料を完全に混合することが好ましい。また、カラーフィルタ層を複数色のカラー層を積層することによって形成する場合には、積層する各カラー層を完全に平坦にすることが好ましい。各カラー材料を完全に混合すること、あるいは、積層する各カラー層を完全に平坦にすることにより、理想的な色を実現できる。
【０１５３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５４】
本発明のカラーフィルタは、カラー表示を行う表示装置全般に適用できる。例えば、テレビ（ＴＶ）チューナーやパーソナルコンピュータ、ビデオテープやＤＶＤ等の再生装置などから出力される画像データを出力する表示装置や、携帯電話、ＰＨＳ（Personal Handyphone System；登録商標）、ＰＤＡ（personal digital assistants）、ビデオカメラ、デジタルカメラ等に備えられる表示装置、プロジェクター式の表示装置などに適用できる。
【図面の簡単な説明】
【０１５５】
【図１】図１は、本発明の一実施形態にかかるカラーフィルタの１画素に対応する領域を示す断面図である。
【図２】図２は、本発明の一実施形態にかかるカラーフィルタを備えた表示装置の概略構成を示すブロック図である。
【図３】図３は、本発明の一実施形態にかかるカラーフィルタを備えた表示パネルの断面図である。
【図４】図４は、本発明の一実施形態にかかるカラーフィルタの１画素に対応する領域を示す平面図である。
【図５】（ａ）〜（ｄ）は、本発明の一実施形態にかかるカラーフィルタの製造工程を示す断面図である。
【図６】図６は、本発明の一実施形態にかかるカラーフィルタの製造工程において用いた、Ｙ，Ｍ，Ｃの各カラーインクのカラースペクトル、および、本発明の一実施形態にかかるカラーフィルタにおけるＲ，Ｇ，Ｂの各カラーフィルタ層のカラースペクトルを示すグラフである。
【図７】図７は、本発明の一実施形態にかかるカラーフィルタを用いた表示パネルにおける色再現範囲を示すグラフである。
【図８】図８は、カラー表示方式を用いた一般的な液晶ディスプレイの画素構造を示す平面図である。
【図９】（ａ）〜（ｆ）は、フォトリソグラフィー工程を用いた、一般的なカラーフィルタの製造工程を説明するための説明図である。
【図１０】（ａ）〜（ｄ）は、インクジェット法による一般的なカラーフィルタの製造工程を説明するための説明図である。
【符号の説明】
【０１５６】
２１  液晶表示装置（表示装置）
３０  液晶表示パネル（表示パネル）
３１  カラーフィルタ基板（カラーフィルタ）
３２  カラーフィルタ部（カラーフィルタ）
３３  対向電極
３４  ＴＦＴ基板
３５  画素電極
３６  ＴＦＴ（スイッチング素子）
３７  液晶層
３８，３９  偏向板
４０  バックライト
４１  Ｒのカラーフィルタ層
４２  Ｇのカラーフィルタ層
４３  Ｙのカラーフィルタ層
４４  Ｃのカラーフィルタ層
４５  Ｂのカラーフィルタ層
４６  ブラックマトリクス
４１Ｍ  Ｍのカラー層
４１Ｙ  Ｙのカラー層
４２Ｃ  Ｃのカラー層
４２Ｙ  Ｙのカラー層
４３Ｙ  Ｙのカラー層
４４Ｃ  Ｃのカラー層
４５Ｃ  Ｃのカラー層
４５Ｍ  Ｍのカラー層
【図１】
2006162706.tif 000005
【図２】
2006162706.tif 000006
【図３】
2006162706.tif 000007
【図４】
2006162706.tif 000008
【図５】
2006162706.tif 000009
【図６】
2006162706.tif 000010
【図７】
2006162706.tif 000011
【図８】
2006162706.tif 000012
【図９】
2006162706.tif 000013
【図１０】
2006162706.tif 000014